(57)【特許請求の範囲】
【請求項１】
携帯電話機、ＰＤＡ、インターネットにおけるパーソナルコンピュータとの間のメッセージ送信に応用されるビデオ画面、及び手書きデータのリアルタイム送受信システムであって、
該送受信システムは、
データフォーマット認識ユニットと、データパッケージユニットと、データパッケージ構築ユニットと、データ送信ユニットと、データ受信／閲覧ユニットとを含み、
該データパッケージ構築ユニットは、パーソナルコンピュータに設けられた記憶媒体内に、送信ターゲットのデータを保存するターゲットデータ保存領域と、ビデオデータを保存するビデオデータ保存領域と、音声データを保存する音声データ保存領域と、手書き入力の筆跡データを保存する筆跡データ保存領域と、コンピュータがキャプチャするピクチャを保存するピクチャ保存領域とを含む複数の保存領域を構築し、
該データフォーマット認識ユニットは、送信処理待ちデータのデータ源とフォーマットとを認識し、
該データパッケージユニットは、送信するデータを認識されたフォーマットに応じて上記の各保存領域にパッケージし、
該データ送信ユニットは、パッケージされたデータを、ターゲットデータ保存領域内に指定された位置にデータパッケージとして送信し、
上記データ受信／閲覧ユニットは、受信された上記データパッケージを、上記データパッケージ内の、それぞれの保存領域内のデータフォーマットをメッセージ提示ウィンドウで、該コンピュータの表示スクリーンに重ねて直接表示させることを特徴とするビデオ画面、及び手書きデータのリアルタイム送受信システム。
【請求項２】
前記処理待ちデータのフォーマットが、ビデオフォーマットと、ピクチャフォーマットと、音声フォーマット、手書き入力筆跡フォーマットを含むことを特徴とする請求項１に記載のビデオ画面、及び手書きデータのリアルタイム送受信システム。
【請求項３】
前記ターゲットデータ保存領域の内容に、受信者の電子メールボックスが含まれることを特徴とする請求項１に記載のビデオ画面、及び手書きデータのリアルタイム送受信システム。
【請求項４】
前記ターゲットデータ保存領域の内容に、データ保存空間のルートとファイル名が含まれることを特徴とする請求項１に記載のビデオ画面、及び手書きデータのリアルタイム送受信システム。
【請求項５】
前記ターゲットデータ保存領域の内容に、受信者のアカウントが含まれることを特徴とする請求項１に記載のビデオ画面、及び手書きデータのリアルタイム送受信システム。
【請求項６】
前記メッセージ提示ウィンドウが、メッセージを受信した日付と時間を記録する日付及び時間と、送信者の氏名、会社（部署）名称、メッセージデータの送信元及び件名などを記録する送信者データと、開封したか否かを記録する開封状態と、該メッセージ提示ウィンドウの重要度を表示するメッセージレベルと、該メッセージ提示ウィンドウ削除するか、保留するウィンドウ・コントロールキーとを含むことを特徴とする請求項１に記載のビデオ画面、及び手書きデータのリアルタイム送受信システム。
【請求項７】
前記メッセージレベルが普通と、急ぎとに区分されることを特徴とする請求項６に記載のビデオ画面、及び手書きデータのリアルタイム送受信システム。
【請求項８】
前記処理待ちデータが、ＰＣカメラのキャプチャしたビデオデータであることを特徴とする請求項１に記載のビデオ画面、及び手書きデータのリアルタイム送受信システム。
【請求項９】
前記処理待ちデータがタブレット、マウスによってキャプチャした手書き入力の筆跡であることを特徴とする請求項１に記載のビデオ画面、及び手書きデータのリアルタイム送受信システム。
【請求項１０】
前記処理待ちデータがマイクロフォンでキャプチャした音声データであることを特徴とする請求項１に記載のビデオ画面、及び手書きデータのリアルタイム送受信システム。
【請求項１１】
前記処理待ちデータが該コンピュータの表示スクリーンからキャプチャした画面であることを特徴とする請求項１に記載のビデオ画面、及び手書きデータのリアルタイム送受信システム。
【請求項１２】
前記ビデオ画面、及び手書きデータのリアルタイム送受信システムが、該データパッケージのコンテンツを１回で同期して該コンピュータの表示スクリーンに表示するデータ再生ユニットをさらに含むことを特徴とする請求項１に記載のビデオ画面、及び手書きデータのリアルタイム送受信システム。
【請求項１３】
前記ビデオ画面、及び手書きデータのリアルタイム送受信システムが、さらに返信機能を具え、該データパッケージのコンテンツを表示すると同時に、ＰＣカメラ、タブレット、もしくはマイクロフォンから得たデータ、及び画面からキャプチャした画像データを併せ該データパッケージに記録することを特徴とする請求項１に記載のビデオ画面、及び手書きデータのリアルタイム送受信システム。
【請求項１４】
携帯電話機、ＰＤＡ、インターネットにおけるパーソナルコンピュータとの間のメッセージ送信に応用されるビデオ画面、及び手書きデータのリアルタイム送受信システムであって、
該送受信システムは、
データフォーマット認識ユニットと、データパッケージユニットと、データパッケージ構築ユニットと、ビデオ／音声キャプチャ・ユニットと、データ送信ユニットと、データ受信／閲覧ユニットとを含み、
該データパッケージ構築ユニットは、パーソナルコンピュータに設けられた記憶媒体内に、少なくとも送信ターゲットのデータを保存するターゲットデータ保存領域と、ビデオデータを保存するビデオデータ保存領域と、音声データを保存する音声データ保存領域と、コンピュータがキャプチャするピクチャを保存するピクチャ保存領域とを含む複数の保存領域を構築し、
該ビデオ／音声キャプチャ・ユニットは、該パーソナルコンピュータにおいて表示スクリーンからビデオデータと音声データをキャプチャし、
該データフォーマット認識ユニットは、送信処理待ちデータのデータ源とフォーマットとを認識し、
該データパッケージユニットは、送信するデータを認識されたフォーマットに応じて上記の各保存領域にパッケージし、
該データ送信ユニットは、パッケージされたデータを、ターゲットデータ保存領域内に指定された位置にデータパッケージとして送信し、
上記データ受信／閲覧ユニットは、受信された上記データパッケージを、上記データパッケージ内の、それぞれの保存領域内のデータフォーマットをメッセージ提示ウィンドウで、該コンピュータの表示スクリーンに重ねて直接表示させることを特徴とするビデオ画面、及び手書きデータのリアルタイム送受信システム。
【請求項１５】
前記ターゲットデータ保存領域の内容に、受信者の電子メールボックスが含まれることを特徴とする請求項１４に記載のビデオ画面、及び手書きデータのリアルタイム送受信システム。
【請求項１６】
前記ターゲットデータ保存領域の内容に、データ保存空間のルートとファイル名が含まれることを特徴とする請求項１４に記載のビデオ画面、及び手書きデータのリアルタイム送受信システム。
【請求項１７】
前記ターゲットデータ保存領域の内容に、受信者のアカウントが含まれることを特徴とする請求項１４に記載のビデオ画面、及び手書きデータのリアルタイム送受信システム。
【請求項１８】
前記メッセージ提示ウィンドウが、メッセージを受信した日付と時間を記録する日付及び時間と、送信者の氏名、会社（部署）名称、メッセージデータの送信元及び件名などを記録する送信者データと、開封したか否かを記録する開封状態と、該メッセージ提示ウィンドウの重要度を表示するメッセージレベルと、該メッセージ提示ウィンドウ削除するか、保留するウィンドウ・コントロールキーとを含むことを特徴とする請求項１４に記載のビデオ画面、及び手書きデータのリアルタイム送受信システム。
【請求項１９】
前記メッセージレベルが普通と、急ぎとに区分されることを特徴とする請求項１８に記載のビデオ画面、及び手書きデータのリアルタイム送受信システム。
【請求項２０】
前記ビデオ画面、及び手書きデータのリアルタイム送受信システムが、該データパッケージのコンテンツを１回で同期して該コンピュータの表示スクリーンに表示するデータ再生ユニットをさらに含むことを特徴とする請求項１４に記載のビデオ画面、及び手書きデータのリアルタイム送受信システム。
【請求項２１】
前記ビデオ画面、及び手書きデータのリアルタイム送受信システムが、さらに返信機能を具え、該データパッケージのコンテンツを表示すると同時に、ＰＣカメラ、タブレット、もしくはマイクロフォンから得たデータ、及び画面からキャプチャした画像データを併せ該データパッケージに記録することを特徴とする請求項１４に記載のビデオ画面、及び手書きデータのリアルタイム送受信システム。
【請求項２２】
携帯電話機、ＰＤＡ、インターネットにおけるパーソナルコンピュータとの間のメッセージ送信に応用されるビデオ画面、及び手書きデータのリアルタイム送受信システムであって、
該送受信システムは、
データフォーマット認識ユニットと、データパッケージユニットと、データパッケージ構築ユニットと、ビデオ／音声キャプチャ・ユニットと、手書き入力データキャプチャ・ユニットと、データ送信ユニットと、データ受信／閲覧ユニットとを含み、
該データパッケージ構築ユニットは、パーソナルコンピュータに設けられた記憶媒体内に、少なくとも送信ターゲットのデータを保存するターゲットデータ保存領域と、手書き入力筆跡データ保存領域と、コンピュータがキャプチャするピクチャを保存するピクチャ保存領域とを含む複数の保存領域を構築し、
該ビデオ／音声キャプチャ・ユニットは、該パーソナルコンピュータにおいて表示スクリーンからビデオデータと音声データをキャプチャし、
手書き入力データキャプチャ・ユニットは、パーソナルコンピュータにおいて表示スクリーンからユーザーの手書き入力データをキャプチャし、
該データフォーマット認識ユニットは、送信処理待ちデータのデータ源とフォーマットとを認識し、
該データパッケージユニットは、送信するデータを認識されたフォーマットに応じて上記の各保存領域にパッケージし、
該データ送信ユニットは、パッケージされたデータを、ターゲットデータ保存領域内に指定された位置にデータパッケージとして送信し、
上記データ受信／閲覧ユニットは、受信された上記データパッケージを、上記
データパッケージ内の、それぞれの保存領域内のデータフォーマットをメッセージ提示ウィンドウで、該コンピュータの表示スクリーンに重ねて直接表示させることを特徴とするビデオ画面、及び手書きデータのリアルタイム送受信システム。
【請求項２３】
前記ターゲットデータ保存領域の内容に、受信者の電子メールボックスが含まれることを特徴とする請求項２２に記載のビデオ画面、及び手書きデータのリアルタイム送受信システム。
【請求項２４】
前記ターゲットデータ保存領域の内容に、データ保存空間のルートとファイル名が含まれることを特徴とする請求項２２に記載のビデオ画面、及び手書きデータのリアルタイム送受信システム。
【請求項２５】
前記ターゲットデータ保存領域の内容に、受信者のアカウントが含まれることを特徴とする請求項２２に記載のビデオ画面、及び手書きデータのリアルタイム送受信システム。
【請求項２６】
前記メッセージ提示ウィンドウが、メッセージを受信した日付と時間を記録する日付及び時間と、送信者の氏名、会社（部署）名称、メッセージデータの送信元及び件名などを記録する送信者データと、開封したか否かを記録する開封状態と、該メッセージ提示ウィンドウの重要度を表示するメッセージレベルと、該メッセージ提示ウィンドウ削除するか、保留するウィンドウ・コントロールキーとを含むことを特徴とする請求項２２に記載のビデオ画面、及び手書きデータのリアルタイム送受信システム。
【請求項２７】
前記メッセージレベルが普通と、急ぎとに区分されることを特徴とする請求項２２に記載のビデオ画面、及び手書きデータのリアルタイム送受信システム。
【請求項２８】
前記ビデオ画面、及び手書きデータのリアルタイム送受信システムが、該データパッケージのコンテンツを１回で同期して該コンピュータの表示スクリーンに表示するデータ再生ユニットをさらに含むことを特徴とする請求項２２に記載のビデオ画面、及び手書きデータのリアルタイム送受信システム。
【請求項２９】
前記ビデオ画面、及び手書きデータのリアルタイム送受信システムが、さらに返信機能を具え、該データパッケージのコンテンツを表示すると同時に、ＰＣカメラ、タブレット、もしくはマイクロフォンから得たデータ、及び画面からキャプチャした画像データを併せ該データパッケージに記録することを特徴とする請求項１４に記載のビデオ画面、及び手書きデータのリアルタイム送受信システム。
【請求項３０】
前記データパッケージに該データパッケージのコンテンツの分類、アーカイブが含まれることを特徴とする請求項２２に記載のビデオ画面、及び手書きデータのリアルタイム送受信システム。
【発明の詳細な説明】
【技術分野】
【０００１】
この発明はデータの送受信システムに関し、特にコンピュータのインターネットの構成下に在って、ビデオ信号、と、手書き入力データ、動画／静止画面のデータを整合し、リアルタイムで送受信するデータの送受信システムに関する。
【背景技術】
【０００２】
現代の科学技術は急速に進歩しているが、一般大衆の通信ツールは、依然として電話回線を利用した電話（音声のみ）か、ネットワーク回線を利用した電子メール（Ｅ−ｍａｉｌ、一般に文字のみ）などの通信手段に頼っている。電話による通信は便利であるが、使用時間により費用が計算され、且つ音声しか送受信することができない。このため、大衆は、常にこの２つの問題に悩まされている。インターネットの普及によって、電子メールによる情報の伝送が可能になった。これは、前述の費用の問題を解決するとともに、一度に多数の受信者に情報を伝送できるという機能を具える。このため、電子メールは現代人の情報伝達、ビジネスにおけるコミュニケーションに不可欠なツールとなりつつある。しかしながら、電子メールには、なおも改善が望まれる。
【０００３】
電子メールは主に文字を伝送するものであって、テキスト以外のデータフォーマットは、ほとんどが添付する方式で伝送する。添付されたデータは、ソフトウエアに一定の理解を持った者でなければ操作が難しい。しかも、電子メールの操作において文字をタイプすることは、非英語圏の人々にとっては難しいものである。さらには、文字をタイプすることに慣れていない人にとって、１つの文章を完成させることは多くの時間を消費する。
【発明の開示】
【発明が解決しようとする課題】
【０００４】
この発明は、ビデオ信号と、手書き入力データと、動／静画のデータを整合し、簡易な操作でこれらデータの送受信をリアルタイムで行うことができるデータのリアルタイム送受信システムを提供することを課題とする。
【課題を解決するための手段】
【０００５】
そこで、本発明者は従来の技術に見られる欠点に鑑み鋭意研究を重ねた結果、パーソナルコンピュータで処理待ちのデータを取得する場合に、該コンピュータの中央演算処理装置に処理待ちデータのデータ源とフォーマットを認識させるデータフォーマット認識ユニットと、
該パーソナルコンピュータに設けられた記憶媒体内に、フォーマットがそれぞれ異なり、かつ送信ターゲットのデータを保存するターゲットデータ保存領域と、ビデオデータを保存するビデオデータ保存領域と、音声データを保存する音声データ保存領域と、手書き入力の筆跡データを保存する筆跡データ保存領域と、コンピュータがキャプチャするピクチャを保存するピクチャ保存領域とを含む複数の保存領域を構築するデータパッケージ構築ユニットと、
該データフォーマット認識ユニットが処理を行い、データフォーマットを確認した該処理待ちデータを該データパッケージの対応する保存領域内の指定の位置にパッケージするデータパッケージユニットと、
該データパッケージを取得する毎に、該データパッケージ内のそれぞれの保存領域内のデータフォーマットをメッセージ提示ウィンドウで該コンピュータの表示スクリーンの最上層に直接表示するデータ受信／閲覧ユニットとによって構成され、携帯電話機、ＰＤＡ、インターネットにおけるパーソナルコンピュータとの間のメッセージ送信に応用されるビデオ画面、及び手書きデータのリアルタイム送受信システムによって課題を解決できる点に着眼し、かかる知見に基づいて本発明を完成させた。
【０００６】
以下、この発明について具体的に説明する。
請求項１に記載するビデオ画面、及び手書きデータのリアルタイム送受信システムは、携帯電話機、ＰＤＡ、インターネットにおけるパーソナルコンピュータとの間のメッセージ送信に応用されるビデオ画面、及び手書きデータのリアルタイム送受信システムであって、
該送受信システムは、
データフォーマット認識ユニットと、データパッケージユニットと、データパッケージ構築ユニットと、データ送信ユニットと、データ受信／閲覧ユニットとを含み、
該データパッケージ構築ユニットは、パーソナルコンピュータに設けられた記憶媒体内に、送信ターゲットのデータを保存するターゲットデータ保存領域と、ビデオデータを保存するビデオデータ保存領域と、音声データを保存する音声データ保存領域と、手書き入力の筆跡データを保存する筆跡データ保存領域と、コンピュータがキャプチャするピクチャを保存するピクチャ保存領域とを含む複数の保存領域を構築し、
該データフォーマット認識ユニットは、送信処理待ちデータのデータ源とフォーマットとを認識し、
該データパッケージユニットは、送信するデータを認識されたフォーマットに応じて上記の各保存領域にパッケージし、
該データ送信ユニットは、パッケージされたデータを、ターゲットデータ保存領域内に指定された位置にデータパッケージとして送信し、
上記データ受信／閲覧ユニットは、受信された上記データパッケージを、上記データパッケージ内の、それぞれの保存領域内のデータフォーマットをメッセージ提示ウィンドウで、該コンピュータの表示スクリーンに重ねて直接表示させることを特徴とするビデオ画面、及び手書きデータのリアルタイム送受信システムである。
【０００７】
請求項２に記載するビデオ画面、及び手書きデータのリアルタイム送受信システムは、請求項１における処理待ちデータのフォーマットが、ビデオフォーマットと、ピクチャフォーマットと、音声フォーマット、手書き入力筆跡フォーマットを含む。
【０００８】
請求項３に記載するビデオ画面、及び手書きデータのリアルタイム送受信システムは、請求項１におけるターゲットデータ保存領域の内容に、受信者の電子メールボックスが含まれる。
【０００９】
請求項４に記載するビデオ画面、及び手書きデータのリアルタイム送受信システムは、請求項１におけるターゲットデータ保存領域の内容に、データ保存空間のルートとファイル名が含まれる。
【００１０】
請求項５に記載するビデオ画面、及び手書きデータのリアルタイム送受信システムは、請求項１におけるターゲットデータ保存領域の内容に、受信者のアカウントが含まれる。
【００１１】
請求項６に記載するビデオ画面、及び手書きデータのリアルタイム送受信システムは、請求項１におけるメッセージ提示ウィンドウが、メッセージを受信した日付と時間を記録する日付及び時間と、送信者の氏名、会社（部署）名称、メッセージデータの送信元及び件名などを記録する送信者データと、開封したか否かを記録する開封状態と、該メッセージ提示ウィンドウの重要度を表示するメッセージレベルと、該メッセージ提示ウィンドウ削除するか、保留するウィンドウ・コントロールキーとを含む。
【００１２】
請求項７に記載するビデオ画面、及び手書きデータのリアルタイム送受信システムは、請求項６における記メッセージレベルが普通（Ｎｏｒｍａｌ）と、急ぎ（Ｆａｓｔ）とに区分される。
【００１３】
請求項８に記載するビデオ画面、及び手書きデータのリアルタイム送受信システムは、請求項１における処理待ちデータが、ＰＣカメラのキャプチャしたビデオデータである。
【００１４】
請求項９に記載するビデオ画面、及び手書きデータのリアルタイム送受信システムは、請求項１における処理待ちデータがタブレット、マウスによってキャプチャした手書き入力の筆跡である。
【００１５】
請求項１０に記載するビデオ画面、及び手書きデータのリアルタイム送受信システムは、請求項１における処理待ちデータがマイクロフォンでキャプチャした音声データである。
【００１６】
請求項１１に記載するビデオ画面、及び手書きデータのリアルタイム送受信システムは、請求項１における処理待ちデータが該コンピュータの表示スクリーンからキャプチャした画面である。
【００１７】
請求項１２に記載するビデオ画面、及び手書きデータのリアルタイム送受信システムは、請求項１における記ビデオ画面、及び手書きデータのリアルタイム送受信システムが、該データパッケージのコンテンツを１回で同期して該コンピュータの表示スクリーンに表示するデータ再生ユニットをさらに含む。
【００１８】
請求項１３に記載するビデオ画面、及び手書きデータのリアルタイム送受信システムは、請求項１におけるビデオ画面、及び手書きデータのリアルタイム送受信システムが、さらに返信機能を具え、該データパッケージのコンテンツを表示すると同時に、ＰＣカメラ、タブレット、もしくはマイクロフォンから得たデータ、及び画面からキャプチャした画像データを併せ該データパッケージに記録する。
【００１９】
請求項１４に記載するデオ画面、及び手書きデータのリアルタイム送受信システムは、携帯電話機、ＰＤＡ、インターネットにおけるパーソナルコンピュータとの間のメッセージ送信に応用されるビデオ画面、及び手書きデータのリアルタイム送受信システムであって、
該送受信システムは、
データフォーマット認識ユニットと、データパッケージユニットと、データパッケージ構築ユニットと、ビデオ／音声キャプチャ・ユニットと、データ送信ユニットと、データ受信／閲覧ユニットとを含み、
該データパッケージ構築ユニットは、パーソナルコンピュータに設けられた記憶媒体内に、少なくとも送信ターゲットのデータを保存するターゲットデータ保存領域と、ビデオデータを保存するビデオデータ保存領域と、音声データを保存する音声データ保存領域と、コンピュータがキャプチャするピクチャを保存するピクチャ保存領域とを含む複数の保存領域を構築し、
該ビデオ／音声キャプチャ・ユニットは、該パーソナルコンピュータにおいて表示スクリーンからビデオデータと音声データをキャプチャし、
該データフォーマット認識ユニットは、送信処理待ちデータのデータ源とフォーマットとを認識し、
該データパッケージユニットは、送信するデータを認識されたフォーマットに応じて上記の各保存領域にパッケージし、
該データ送信ユニットは、パッケージされたデータを、ターゲットデータ保存領域内に指定された位置にデータパッケージとして送信し、
上記データ受信／閲覧ユニットは、受信された上記データパッケージを、上記データパッケージ内の、それぞれの保存領域内のデータフォーマットをメッセージ提示ウィンドウで、該コンピュータの表示スクリーンに重ねて直接表示させることを特徴とするビデオ画面、及び手書きデータのリアルタイム送受信システムである。
【００２０】
請求項１５に記載するビデオ画面、及び手書きデータのリアルタイム送受信システムは、請求項１４におけるターゲットデータ保存領域の内容に、受信者の電子メールボックスが含まれる。
【００２１】
請求項１６に記載するビデオ画面、及び手書きデータのリアルタイム送受信システムは請求項１４におけるターゲットデータ保存領域の内容に、データ保存空間のルートとファイル名が含まれる。
【００２２】
請求項１７に記載するビデオ画面、及び手書きデータのリアルタイム送受信システムは請求項１４におけるターゲットデータ保存領域の内容に、受信者のアカウントが含まれる。
【００２３】
請求項１８に記載するビデオ画面、及び手書きデータのリアルタイム送受信システムは、請求項１４におけるメッセージ提示ウィンドウが、メッセージを受信した日付と時間を記録する日付及び時間と、送信者の氏名、会社（部署）名称、メッセージデータの送信元及び件名などを記録する送信者データと、開封したか否かを記録する開封状態と、該メッセージ提示ウィンドウの重要度を表示するメッセージレベルと、該メッセージ提示ウィンドウ削除するか、保留するウィンドウ・コントロールキーとを含む。
【００２４】
請求項１９に記載するビデオ画面、及び手書きデータのリアルタイム送受信システムは、請求項１４におけるメッセージレベルが普通（Ｎｏｒｍａｌ）と、急ぎ（Ｆａｓｔ）とに区分される。
【００２５】
請求項２０に記載するビデオ画面、及び手書きデータのリアルタイム送受信システムは、請求項１４におけるビデオ画面、及び手書きデータのリアルタイム送受信システムが、該データパッケージのコンテンツを１回で同期して該コンピュータの表示スクリーンに表示するデータ再生ユニットをさらに含む。
【００２６】
請求項２１に記載するビデオ画面、及び手書きデータのリアルタイム送受信システムは、請求項１４におけるビデオ画面、及び手書きデータのリアルタイム送受信システムが、さらに返信機能を具え、該データパッケージのコンテンツを表示すると同時に、ＰＣカメラ、タブレット、もしくはマイクロフォンから得たデータ、及び画面からキャプチャした画像データを併せ該データパッケージに記録する。
【００２７】
請求項２２に記載するデオ画面、及び手書きデータのリアルタイム送受信システムは、請求項１４における処理待ちデータが、ＰＣカメラのキャプチャしたビデオデータである。
【００２８】
請求項２２に記載するビデオ画面、及び手書きデータのリアルタイム送受信システムは、携帯電話機、ＰＤＡ、インターネットにおけるパーソナルコンピュータとの間のメッセージ送信に応用されるビデオ画面、及び手書きデータのリアルタイム送受信システムであって、
該送受信システムは、
データフォーマット認識ユニットと、データパッケージユニットと、データパッケージ構築ユニットと、ビデオ／音声キャプチャ・ユニットと、手書き入力データキャプチャ・ユニットと、データ送信ユニットと、データ受信／閲覧ユニットとを含み、
該データパッケージ構築ユニットは、パーソナルコンピュータに設けられた記憶媒体内に、少なくとも送信ターゲットのデータを保存するターゲットデータ保存領域と、手書き入力筆跡データ保存領域と、コンピュータがキャプチャするピクチャを保存するピクチャ保存領域とを含む複数の保存領域を構築し、
該ビデオ／音声キャプチャ・ユニットは、該パーソナルコンピュータにおいて表示スクリーンからビデオデータと音声データをキャプチャし、
手書き入力データキャプチャ・ユニットは、パーソナルコンピュータにおいて表示スクリーンからユーザーの手書き入力データをキャプチャし、
該データフォーマット認識ユニットは、送信処理待ちデータのデータ源とフォーマットとを認識し、
該データパッケージユニットは、送信するデータを認識されたフォーマットに応じて上記の各保存領域にパッケージし、
該データ送信ユニットは、パッケージされたデータを、ターゲットデータ保存領域内に指定された位置にデータパッケージとして送信し、
上記データ受信／閲覧ユニットは、受信された上記データパッケージを、上記
データパッケージ内の、それぞれの保存領域内のデータフォーマットをメッセージ提示ウィンドウで、該コンピュータの表示スクリーンに重ねて直接表示させることを特徴とするビデオ画面、及び手書きデータのリアルタイム送受信システムである。
【００２９】
請求項２３に記載するビデオ画面、及び手書きデータのリアルタイム送受信システムは、請求項２２におけるターゲットデータ保存領域の内容に、受信者の電子メールボックスが含まれる。
【００３０】
請求項２４に記載するビデオ画面、及び手書きデータのリアルタイム送受信システムは、請求項２２におけるターゲットデータ保存領域の内容に、データ保存空間のルートとファイル名が含まれる。
【００３１】
請求項２５に記載するビデオ画面、及び手書きデータのリアルタイム送受信システムは、請求項２２におけるターゲットデータ保存領域の内容に、受信者のアカウントが含まれる。
【００３２】
請求項２６に記載するビデオ画面、及び手書きデータのリアルタイム送受信システムは、請求項２２におけるメッセージ提示ウィンドウが、メッセージを受信した日付と時間を記録する日付及び時間と、送信者の氏名、会社（部署）名称、メッセージデータの送信元及び件名などを記録する送信者データと、開封したか否かを記録する開封状態と、該メッセージ提示ウィンドウの重要度を表示するメッセージレベルと、該メッセージ提示ウィンドウ削除するか、保留するウィンドウ・コントロールキーとを含む。
【００３３】
請求項２７に記載するビデオ画面、及び手書きデータのリアルタイム送受信システムは、請求項２２におけるメッセージレベルが普通（Ｎｏｒｍａｌ）と、急ぎ（Ｆａｓｔ）とに区分される。
【００３４】
請求項２８に記載するビデオ画面、及び手書きデータのリアルタイム送受信システムは、請求項２２におけるビデオ画面、及び手書きデータのリアルタイム送受信システムが、該データパッケージのコンテンツを１回で同期して該コンピュータの表示スクリーンに表示するデータ再生ユニットをさらに含む。
【００３５】
請求項２９に記載するビデオ画面、及び手書きデータのリアルタイム送受信システムは、請求項２２におけるビデオ画面、及び手書きデータのリアルタイム送受信システムが、さらに返信機能を具え、該データパッケージのコンテンツを表示すると同時に、ＰＣカメラ、タブレット、もしくはマイクロフォンから得たデータ、及び画面からキャプチャした画像データを併せ該データパッケージに記録する。
【００３６】
請求項３０に記載するビデオ画面、及び手書きデータのリアルタイム送受信システムは、請求項２２におけるデータパッケージに該データパッケージのコンテンツの分類、アーカイブが含まれる。
【発明の効果】
【００３７】
本発明のビデオ画面、及び手書きデータのリアルタイム送受信システムは、ビデオ信号と、手書き入力データと、動／静画のデータを整合し、簡易な操作でこれらデータの送受信をリアルタイムで行うことができるため、使用上便利で実用的である。
【発明を実施するための最良の形態】
【００３８】
この発明は、ビデオ画面、及び手書きデータのリアルタイム送受信システムを提供するものであって、ビデオ信号と、手書き入力データと、動／静画のデータを整合し、簡易な操作でこれらデータの送受信をリアルタイムで行うという目的を、実現するものである。
【００３９】
即ち、この発明のシステムにおいては、先ず、処理待ちのデータの提供元とフォーマットを認識する。該データフォーマットにはビデオ、ピクチャ、音声、手書き入力の筆跡などの静態、もしくは動態画面を含む。次いで、判断を行い明確にしたそれぞれのデータをデータパッケージ内の対応する保存領域内に逐一パッケージし、処理待ちのデータをすべて処理した後、該データパッケージに保存処理を行う。また、該データパッケージはインターネットを介して送信し、他の受信端末で完全なデータパッケージを受信してもよい。よって、それぞれ異なる機能のアプリケーションプログラムによらず、即該データパッケージのコンテンツを閲覧することができる。即ち、タイピング方式でメセージを送信し、メール内のその他タイプのデータを確認し、かつ関連するアプリケーションプラグラムの使用方法を理解していいなければならないといった既存の電子メールのシステムによる制限を受けることなく、クリック方式のビデオ・ドキュメントの手書き閲覧、及びビデオ・ドキュメントの手書き返信方式を達成することができる。
係るビデオ画面、及び手書きデータのリアルタイム送受信システムについて、その構造と特徴を詳述するために具体的な実施例を挙げ、以下に説明する。
【実施例】
【００４０】
この発明は携帯電話機、ＰＤＡ、インターネットにおけるコンピュータとの間のメッセージ送信に応用されるビデオ画面、及び手書きデータのリアルタイム送受信システムを提供するものであって、図１に、この発明によるデータ送受信処理のプロセスを開示する。図面によれば、この発明におけるデータの送受信処理は、データフォーマット認識ユニット１１と、データパケージ構成ユニット１２と、パッケージユニット１３と、データ送信ユニット１４と、データ受信／閲覧ユニット１５とを含んでなる。
【００４１】
データフォーマット認識ユニット１１は、パーソナルコンピュータ（ノートブック型コンピュータを含む）で処理待ちのデータを取得する場合、該パーソナルコンピュータの中央演算処理装置（以下ＣＰＵと称す）に処理待ちデータのデータ・ソースとフォーマットを認識させるために用いる。該処理待ちデータのフォーマットにはビデオ、ピクチャ、音声、手書きの筆跡などを含む一切の静止／動態のデータフォーマットを含む。
【００４２】
また、上述するデータの取得は、図２に開示するように、パーソナルコンピュータ（ノートブック型コンピュータを含む）に設けたカメラ１１１によって画像データをキャプチャするか、コンピュータに電気的に接続したタブレット１１２（もしくはマウス）で手書きの筆跡をキャプチャするか、コンピュータに電気的に接続したマイクロフォン１１３で音声をキャプチャして音声データを得るか、もしくはスクリーンディスプレイ１１５に表示される静態コンテンツ（ピクチャ）、または動態コンテンツ（ビデオ）を直接キャプチャするなどの方法を含む。
【００４３】
データパッケージ構成ユニット１２は、パーソナルコンピュータ（ノートブック型コンピュータを含む）に設けられた記憶媒体内に、フォーマットがそれぞれ異なる複数の保存領域を有するデータパッケージ２０を予め構成するために用いる。該データパッケージ２０は、送信ターゲットのデータを保存する送信ターゲットデータ保存領域２１と、ビデオデータ保存領域２２と、音声データ保存領域２３と、手書き入力の筆跡データを保存する筆跡データ保存領域２４と、コンピュータがキャプチャするピクチャのデータを保存するピクチャ保存領域２５とを含む。
【００４４】
送信ターゲットデータ保存領域２１は、その内容が受信者の電子メールボックスか、データ保存空間のルート及びファイル名か、もしくは受信者のアカウント（ＩＤ）であって、該画像データ保存領域２２は、ビデオ、またはピクチャフォーマットのデータを保存するために用いる。
【００４５】
パッケージユニット１３は、データフォーマット識別ユニット１１がステップを実行して、データフォーマットを確認した該処理待ちデータパッケージを該データパッケージの対応する保存領域内にパッケージする。
【００４６】
データの送信を行う１４のステップは、データボックスを例えば前述の受信者の電子メールボックスの受信者のアカウントか、もしくはデータ保存空間のルート及びファイル名などである送信ターゲットであるデータ保存領域２１内の指定アドレスに内部バスもしくはインターネットを介して送信するために用いる。
【００４７】
データを受信／閲覧する１５のステップは、パーソナルコンピュータ（ノートブック型コンピュータを含む）において該データパッケージを取得する場合にメッセージ提示ウィンドウ２６（図４参照）をコンピュータの表示スクリーン２７の最上層に表示するために用いる。メッセージの内容を読み取る場合はメッセージ提示ウィンドウ２６をクリックする。すなわちメッセージ提示ウィンドウ２６をクリックすると、コンピュータシステムがオペレーションシステムのマルチプレイヤーによって、データパッケージ内のそれぞれの保存領域のデータフォーマットに基づいて逐一取り出し、コンピュータの表示スクリーン２７に表示する。
【００４８】
上述するメッセージ提示ウィンドウ２６の表示は、図４、図５に開示するように、重ねて該コンピュータの表示スクリーン２７の最上層に複数のメッセージ提示ウィンドウ２６を表示してもよい。メッセージ提示ウィンドウ２６の内容は、少なくともメッセージを受信した日付と時間を記録する日付及び時間２６１と、送信者の氏名、会社（部署）名称、メッセージデータの送信元及び件名などを記録する送信者データ２６２と、開封したか否かを記録する開封状態２６３と、普通（Ｎｏｒｍａｌ）、急ぎ（Ｆａｓｔ）、重要（Ｉｍｐｏｒｔａｎｔ）を含み、該メッセージ提示ウィンドウ２６の重要度を表示するメッセージレベル２６４と、該メッセージ提示ウィンドウ２６を最小化するウィンドウ・コントロールキー２６５と、該メッセージを削除するウィンドウ・コントロールキー２６６とを含む。
【００４９】
インターネットを介して該データパッケージ２０が送信されると、これに対応するメッセージ提示ウィンドウ２６が受信端の表示スクリーン２７に表示される。よって、ユーザはメッセージの受信を確認することができ、且つ、メッセージの送信者と該メッセージの重要度を知ることができる。メッセージを読む場合は、メッセージ提示ウィンドウ２６の開封状態２６３をクリックするだけでデータパッケージに含まれるコンテンツを自動的に表示することができる。該メッセージに対して送信者に返信するか、もしくは他人に転送する場合は、返信機能によって達成することができる。返信機能は該データパッケージのコンテンツを閲覧すると同時に、パーソナルコンピュータに設けられるスタイラスペン、ＰＣカメラ、もしくはマイクロフォンなどの周辺デバイスをコンピュータの表示スクリーン２７内で直接操作して実行する。同時に上述する１１から１５のステップによって返信するメッセージを該データパッケージ２０内にリストールし、本来の送信者か、もしくは指定する対象者に送信する。
【００５０】
この発明に開示する処理のプロセスによれば、ユーザがＰＣカメラ、タブレット、もしくはマウス等、いかなる周辺デバイスを使用しても、ビデオ、ピクチャ（コンピュータがキャプチャした静態画面のドキュメント）、音声、手書き入力の筆跡などの静態、または動態画面を含む全体の操作履歴を完全、且つ直接データパッケージにパッケージすることができる。しかもこの発明のシステムはインターネットに構築するために送信費は、既にブロードバンド（ＡＤＳＬもしくは専用線）に加入した法人、もしくは個人にとって無償ということができる。
【００５１】
この発明は、該データパッケージ２０に含まれる保存領域のフォーマットの種類と、その組み合わせによって応用することができる。以下その応用例を開示する。
１．該データパッケージ２０が、送信を目的とするデータ保存領域２１と、ビデオデータ保存領域２２と、音声データ保存領域２３とを組み合わせてなる場合、ビデオ伝言システムを構成することができる。
２．該データパッケージ２０が、送信を目的とするデータ保存領域２１と、ビデオデータ保存領域２２と、音声データ保存領域２３と、手書き入力の筆跡データ保存領域２４と、ピクチャ保存領域２５とを組み合わせてなる場合、電子日報システムか、もしくはドキュメント、ビデオ、手書き説明システムを構成することができる。
３．該データパッケージ２０が、手書き入力の筆跡データ保存領域２４を単独で保存してなる場合、電子ノートシステム、もしくは電子ホワイトボード会議機能を構成することができる。
【００５２】
この発明に開示される技術によれば、図６に開示するように、リアルタイムの送受信システムを構築することができる。図６はリアルタイム送受信システムの操作を示したフローチャートであって、“Ｆｕｎｃｔｉｏｎ
Ｚｏｏ”と、“Ｍ−Ｍｅｓｓａｇｅ”と、“Ｍ−Ｗｒｉｔｉｎｇ”の３大機能を含む。それぞれの機能に係る操作、処理、のプロセスを次に説明する。
【００５３】
Ｆｕｎｃｔｉｏｎ Ｚｏｏは、図６に開示するように、オペレーションシステムを起動すると即、図６に開示するプログラム起動のステップ３０を実行し、コンピュータの表示スクリーンに送受信システムのセレクト機能３１を表示する。先ず、ユーザがコンピュータの表示スクリーンにおいて報告しようとするデータウィンドを空ける。次いで、Ｆｕｎｃｔｉｏｎ
Ｚｏｏ機能の項目を選択してクリックすると、システムが「ビデオ、音声、画面、手書き、同期録画実行」のステップ３２に進み、「ビデオ、音声、画面、手書き、同期録画モード」を起動させ、ビデオデータ、音声データ、レポートのデータウィンドウ画面、手書きデータの記録を同期させて進行させる。データの記録完成を確認すると、データプレビュー画面が自動的に発生する。（ステップ３５）この場合、ユーザはデータプリントアウト３５１を選択することができる。該機能は、モニタ上の画面のキャプチャ機能に等しい。係る機能によってユーザは簡単な操作でモニタ上の如何なる画面であろうと随時プリントアウトすることができ、もしくは直接分類して格納することができる。これは、別途実用的な機能を形成することになる。即ちモニタ上の如何なる画面であろうと、いずれもキャプチャして直接保存するか、またはビデオの手書きの説明を加えた後保存することができる。よって、その後ドキュメントの保存ファイルを見る場合、附帯するビデオ手書き附帯説明を見ることができ、各種レポート、レポートドキュメントの分類格納が更に多様化することができる。また、メールパッケージの送信を進行させる場合、予めアドレス張内の受信者リストを選択する。受信者を確認すると、システムがメールの件名の入力を要求し、件名の入力を確認した後、メールの送信手段を行う（ステップ３１）。次いで、データのアーカイブ処理を行うか否か判断する（ステップ３９）。アーカイブ処理を行うのであれば３９１の分類アーカイブ処理を行い、アーカイブ処理を行わないのであれば、この項目の機能を終了させる（ステップ３９２）。
【００５４】
図７に開示するように、受信端においては５０のステップでプログラムを起動し、新しいメールの着信を検知した場合、５１のステップでコンピュータの表示スクリーンにメッセージ提示ウィンドウを表示する（図４参照）。その内容はメールフォーマットの内容と着信方式を含み、メッセージ着信の内容は次に掲げるモードに従い、異なる色彩、様式、内容で表現する。即ち、（１）従来の一般的なE−MAIL方式の着信、（２）ビデオ方式（M―Message）の着信、（３）ビデオドキュメント手書き方式（Function Zoo）の着信である。また、着信のメッセージに、次に掲げるコメントを表示し、ユーザがメールを開封するか、保留するか、削除するかの選択に供する。
（ａ１）メッセージメールの作成、送信期日
（ｂ１）メッセージメールの作成、送信時間
（ｃ１）メッセージメールの作成方式
（ｄ１）メッセージメールの作成会社
（ｅ１）メッセージメールの作成者名
（ｆ１）メッセージコンテンツを開封する。
（ｇ１）メッセージコンテンツを保留する。
（ｈ１）メッセージコンテンツを削除する。
（ｉ１）急用、もしくは通常メール
（ｊ１）件名
【００５５】
ユーザがビデオメール、もしくはＥ−Ｍａｉｌを開封し閲覧した後、次に掲げる処理とステップを実行する。
（ａ）メッセージ内容を返信する（ステップ５５）か、転送する（ステップ５６）。
（ｂ）メッセージ内容を返信する（ステップ５５）か、転送（ステップ５６）した後、該メッセージの内容を削除５４する。
（ｃ）メッセージ内容を返信する（ステップ５５）か、転送５６（ステップ５６）した後、該メッセージを分類、アーカイブする（ステップ５３）。
（ｄ）メッセージをプリントアウトする（ステップ５７）。
（ｅ）該メッセージを再表示する（ステップ５８）。
（ｆ）該メッセージの内容を削除する（ステップ５４）。
（ｇ）該メッセージの内容を保留し、分類、アーカイブする（ステップ５３）。
【００５６】
ユーザがメッセージの返信か、もしくは転送を選択した場合、返信、もしくは転送機能をクリックするだけで、ソフトウェアがメッセージドキュメントを作成した方式と同様の方式の画像・音声・画面・手書き同期録画モード、ビデオ同期録画モード、もしくはＥ−Ｍａｉｌ作成、返信モードを自動的に起動する。処理のプロセスは、図６に開示するとおりである。よって、図７に開示するステップ５５の返信の後の動作は、図６に開示する３２、または３３のステップに続く。図７に開示するステップ５６の転送を選択してクリックすると、メールを完全に保留して転送する。更に、図６に開示するステップ３３のビデオの説明も併せ受信者に転送する。
【００５７】
Ｍ−Ｍｅｓｓａｇｅは、図６に開示するように、オペレーションシステムを起動すると、図６に開示するソフトウェア３０のステップをスタートさせ、且つコンピュータの表示スクリーンに送受信システムのセレクト機能３１を表示する。ユーザがコンピュータスクリーンにおいて直接Ｍ−Ｍｅｓｓａｇｅの機能を選択してクリックすると、システムはビデオ、音声、同期録画のステップ３３に進み、ビデオ、音声、同期録画モードを起動してビデオデータ、音声データの記録を同期させてはじめる。データの記録完成を確認すると、データのプレビュー画面が自動的に発生する（ステップ３５）。よって、ビデオの再録画か、取り消しをユーザが自身で選択するか、または自動記録の機能を直接選択する。このため、製作するビデオメッセージが録音ファイル同様の機能となり、自動的に記録し、ビデオ保存分類アーカイブの自動記録分類アーカイブに直接保存するか、メールパッケージを送信する。メールパッケージの送信を進行させる場合、先に急ぎのメールか否か選択すると、システムがユーザに通信記録内の受信者リストを選択するよう要求する。受信者を確認するとメールの送信処理を行い（ステップ３８）、最後にデータにアーカイブ処理（ステップ３９）を行うか否か判断し、処理するのであれば３９１のステップで分類アーカイブ３９１を行い、処理を行わないのであれば、この機能を閉じる（ステップ３９２）。
【００５８】
同様に受信者がビデオメール、もしくはE−Mailを開封して閲覧すると、次に掲げる処理とステップを実行する。
（ｈ）メッセージ内容を返信する（ステップ５５）か、転送する（ステップ５６）。
（ｉ）メッセージ内容を返信する（ステップ５５）か、転送（ステップ５６）した後、該メッセージの内容を削除５４する。
（ｊ）メッセージ内容を返信する（ステップ５５）か、転送５６（ステップ５６）した後、該メッセージを分類、アーカイブする（ステップ５３）。
（ｋ）メッセージをプリントアウトする（ステップ５７）。
（ｌ）該メッセージを再表示する（ステップ５８）。
（ｍ）該メッセージの内容を削除する（ステップ５４）。
（ｎ）該メッセージの内容を保留し、分類、アーカイブする（ステップ５３）。
【００５９】
よって、ユーザがメッセージの返信か、もしくは転送を選択した場合、返信、もしくは転送機能をクリックするだけで、ソフトウェアがメッセージドキュメントを作成した方式と同様の方式の画像・音声・画面・手書き同期録画モード、ビデオ同期録画モード、もしくはＥ−Ｍａｉｌ作成返、信モードを自動的に起動する。処理のプロセスは、図６に開示するとおりである。よって、図７に開示するステップ５５の返信の後の動作は、図６に開示する３２、または３３のステップに続く。図７に開示するステップ５６の転送を選択してクリックすると、メールを完全に保留して転送する。更に、図６に開示するステップ３３のビデオの説明も併せ受信者に転送する。
【００６０】
Ｍ−Ｗｒｉｔｉｎｇは図６、図８に開示するようにオペレーションシステムを起動すると、図６に開示するソフトウェア３０のステップを実行し、コンピュータの表示スクリーンに送受信システムのセレクト機能３１を表示する。ユーザがコンピュータスクリーンにおいてＭ−Ｗｒｉｔｉｎｇの機能を選択してクリックすると、システムは手書き、録画を実行する３４のステップに進み、手書き記録ウィンドウを起動する（ステップ６０）。次いで、ユーザがデータの新規作成を行うか否か判断する（ステップ６６）。新規作成を行わないのであれば、ユーザは既存する任意のデータ記録を検索及び、もしくは開き、修正を加える。データの新規作成を行うのであれば、ユーザが新規作成のファンクションキーをクリックするのを待って（６２のステップ）、新規データを加える。仮にユーザがデータを改めて記録するのであれば、新規作成のファンクションキーをクリックする（ステップ６２）。
【００６１】
新規作成のファンクションキーをクリックすると、システムは手書きデータ製造の操作モードの実行に入る（ステップ６３）データの作成完成を確認した後、ユーザは更にデータのプリントアウト（ステップ６４）を選択するか、システムにＦｕｎｃｔｉｏｎ
Ｚｏｏの操作モードをコールさせて（ステップ６５）、ビデオデータ、音声データ、レポートのデータウィンドウ画面、手書きデータの記録を同期させて進行させる。データの記録完成を確認した後、データプレビュー画面を自動的に発生させる（ステップ３５）。この場合ユーザはデータのアーカイブ処理（ステップ３９１）を行うか、メールパッケージを送信するか選択する。メールパッケージの送信を行う場合、あらかじめ通信記録内の受信者リストを選択し、受信者を確認するとメールの送信処理を行い（ステップ３８）、最後にデータにアーカイブ処理（ステップ３９）を行うか否か判断し、処理するのであれば３９１のステップで分類アーカイブ３９１を行い、処理を行わないのであれば、この機能を閉じる（ステップ３９２）。
【００６２】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の実用新案登録請求の範囲に属するものとする。
【図面の簡単な説明】
【００６３】
【図１】この発明によるデータ送受信処理のステップを示したフローチャートである。
【図２】この発明のデータソースを示した説明図である。
【図３】この発明におけるデータパッケージの構造を示した説明図である。
【図４】この発明におけるメッセージ提示画面の説明図である。
【図５】この発明における回転盤と、位置決めボールと、位置決め端の動作を示した他の説明図である。
【図６】この発明によるデータ処理のプロセスを示したフローチャートである。
【図７】この発明によるデータ処理の他のプロセスを示したフローチャートである。
【図８】この発明によるデータ処理のその他プロセスを示したフローチャートである。
【符号の説明】
【００６４】
１１     データフォーマット認識ユニット
１１１   PCカメラ
１１２   タブレット
１１３   マイクロフォン
１１５   スクリーンディスプレイ
１２     データパッケージ構築ユニット
１３     パッケージユニット
１４     データ送信ユニット
１５     データ受信／閲覧ユニット
２０     データパッケージ
２１     送信ターゲットデータ保存領域
２２     画像データ保存領域
２３     音声データ保存領域
２４     筆跡データ保存領域
２５     ピクチャ保存領域
２６     メッセージ提示ウィンドウ
２６１   日付と時間
２６２   送信者情報
２６３   閲覧状態
２６４   メッセージ等級
２６５   ウィンドウ・コントロールキー
２７     表示スクリーン
【図１】
0004546388.tif 000002
【図２】
0004546388.tif 000003
【図３】
0004546388.tif 000004
【図４】
0004546388.tif 000005
【図５】
0004546388.tif 000006
【図６】
0004546388.tif 000007
【図７】
0004546388.tif 000008
【図８】
0004546388.tif 000009